(57)【特許請求の範囲】
【請求項１】
左右に脚柱を備えた枠体と、建枠の建地材間に固定され、前記脚柱それぞれを同心状に挿通し、上下にスライド可能に支持することで枠体を上方に引き上げ可能とした左右一対のガイドと、前記建枠の横架材に上方から掛止可能な横架材掛止部および前記ガイドの傾倒を防止するように前記建枠の建地材に掛止可能な建地材掛止部を形成してなる掛止金具を備えた仮固定用金具とからなり、前記ガイドには建枠の前記建地材間への固定に先立って横架材に掛止される前記仮固定用金具を、枠体が引き上げられる前における重心位置よりも上方となるように設けたことを特徴とする先行手摺枠。
【請求項２】
枠体は、その引き上げ完成時に足場板とこの足場板よりも高い位置までの間を遮蔽する巾木を備えた請求項１記載の先行手摺枠。
【請求項３】
仮固定用金具は、枠体の脚柱が建枠の建地材間と同列位置となるように建枠の横架材に掛止される請求項１または２記載の先行手摺枠。
【発明の詳細な説明】
【０００１】
【発明の属する技術分野】
この発明は、仮設の枠組足場に取付けられる手摺枠に係り、より詳しくはスライド式の先行手摺枠に関するものである。
【０００２】
【従来の技術】
枠組足場に手摺枠を設ける場合、上階の手摺枠をその一つ下階から先行して取付けられることが、資材や作業員の落下防止という観点から好ましい。しかし、一般的な手摺枠は門型枠体の左右脚パイプにクランプ等、建枠への固定装置を一体に設けた構成であり、これを先行取付けしようとする場合、十数キログラムある手摺枠を持ち上げる必要があり、作業性が悪い。
【０００３】
また、この一般的構造からなる手摺枠の中には、建枠の固定装置として、本固定を行うクランプと共に、建枠に仮固定できる円弧状の仮固定用金具を備えたものがある。より詳しくは、図１３に示したように、手摺枠１００の脚パイプ１０１の下１／４の付近には仮固定用金具１０２が設けられ、その下方、即ち前記脚パイプ１０１の下端にクランプなどの本固定用金具１０３が設けられている。そして、当該構成の手摺枠１００を取付けるには、先ず、手摺枠１００を斜めにした状態で仮固定用金具１０２を建枠２００の横架材２０１に掛止（仮固定）し、該仮固定用金具１０２を中心として矢印方向に脚パイプ１０１の下端を押しやって手摺枠１００を垂直姿勢にした後、本固定用金具１０３を建枠２００の建地材２０２に結合することによって行われる。このように、仮固定用金具１０２を備えた手摺枠１００によれば、仮固定が済めば、手摺枠１００を下から支え持つ必要がないため、作業の軽減化が図られ、例えば一人の作業員によっても当該手摺枠１００を建枠２００に取付けることができる。
【０００４】
しかしながら、当該構成であっても、仮固定までは手摺枠１００を持ち上げなければならない上、仮固定用金具１０２は脚パイプ１０１の中央よりも下側に設けられ、ここを中心とすれば手摺枠１００の重心は上方に位置するため、仮固定時に傾斜姿勢にある手摺枠を垂直姿勢にするときは相当の力が必要であるし、手摺枠１００が傾斜姿勢の状態で手を離せば、仮固定用金具１０２を中心として手摺枠１００が前方に倒れる危険があるなど、安定した作業を行い難いといった課題がある。
【０００５】
一方、実公平８−４２９号公報によれば、ブレースに手摺枠をガイドレールに沿って上下動自在に取付けたスライド式の手摺枠が公知であり、該手摺枠によれば、ブレースで建枠を結合することにより、上位足場板の両側に手摺枠を設けることができ、足場板上で行う足場の組立及び解体作業の安全性を大幅に向上させることができ、墜落事故の防止が図れる、という効果が得れる。
【０００６】
【発明が解決しようとする課題】
しかしながら、上記公報に開示の技術にも次のような課題があった。即ち、従来技術では、手摺枠の設置に関し、先ず建枠に沿って鉛直方向にガイドレールを設ける必要があるが、該ガイドレールは建枠のブレースに固定されるため、手摺枠の荷重がガイドレールを介してブレースに作用し、ブレースによって発揮される建枠の耐震・耐風強度を低下させるおそれがある。
【０００７】
本発明は上述した従来技術の課題に鑑みなされたもので、その目的とするところは、建枠の耐震・耐風強度に悪影響を及ぼすことなく、しかも、簡易に建枠への取り付けが行えるスライド式の先行手摺枠を提供することにある。
【０００８】
【課題を解決するための手段】
上述した目的を達成するために、本発明では、左右に脚柱を備えた枠体と、建枠の建地材間に固定され、前記脚柱それぞれを同心状に挿通し、上下にスライド可能に支持することで枠体を上方に引き上げ可能とした左右一対のガイドと、前記建枠の横架材に上方から掛止可能な横架材掛止部および前記ガイドの傾倒を防止するように前記建枠の建地材に掛止可能な建地材掛止部を形成してなる掛止金具を備えた仮固定用金具とからなり、前記ガイドには建枠の前記建地材間への固定に先立って横架材に掛止される前記仮固定用金具を、枠体が引き上げられる前における重心位置よりも上方となるように設けるという手段を用いた。この手段により、スライド式の先行手摺枠が構成され、手摺枠の設置が容易となるだけなく、保管・運搬時の態様を小型化することができる。また、仮固定用金具の取付け位置は、枠体を引き上げる前の重心位置よりも上方に位置するので、仮固定金具による仮固定時には、その自重バランスにより手摺枠は建枠の建地材に沿うような姿勢をとる。
【０００９】
請求項２では、枠体は、その引き上げ完成時に足場板とこの足場板よりも高い位置までの間を遮蔽する巾木を備えるという手段を用いた。この手段では、巾木によって足場板に置いた資材や工具の落下が防止される。また、足下が巾木によって遮蔽されるため、作業員の恐怖感や不安感を払拭乃至軽減することができる。
【００１０】
請求項３では、仮固定用金具は、枠体の脚柱が建枠の建地材間と同列位置となるように建枠の横架材に掛止されるという手段を用いた。この手段によれば、手摺枠は枠体から迫り出すことなく建地材間と同列位置に取付けられるため、手摺枠が建枠の立設強度を保持する機能を発揮すると共に、見た目にもすっきりする。
【００１１】
【発明の実施の形態】
以下、本発明の好ましい実施の形態を添付した図面に従って説明する。図１・２は本発明の一実施形態に係る先行手摺枠１の正面図を示したもので、図１は枠体１０を引き上げる前、図２は枠体１０を引き上げた後を示したものである。これらの図において、１０は丸パイプを門型に成型してなる枠体、２０・２０は枠体１０の左右に一対に設けられ、該枠体１０のパイプ状脚柱１１をスライド自在に挿通するガイドである。
【００１２】
また、３０はガイド２０の上方外側面に突出して設けられた仮固定用金具、４０はガイド２０の下方外側面に左右突出して設けられた本固定用金具である。さらに、５０は枠体１０の脚柱１１の上方外側に左右突出して設けられた補助固定用金具である。
【００１３】
ここで枠体１０の内部は、水平材１２および垂直材１４によって仕切られており、さらに脚柱１０の下方には一定幅を有する巾木１３が備えられ資材等の落下を防止している。また、ガイド２０は、図３に示したように、略コ字状の断面形状を有し、枠体１０の脚柱１１を同心状に上下方向にスライド自在に挿通するスライド孔２１が形成され、また内側には枠体１０の前記水平材１２・１３のスライド溝２２が上下に亘って形成されている。こうした構成によって、ガイド２０は枠体１０全体を上下にスライド可能に支持するのである。さらに、両ガイド２０・２０の間には、図１、２に示したように、水平材２３・２４が上下して架設され、さらに垂直材２５によって両ガイド２０・２０の空間を仕切っている。
【００１４】
次に、ガイド２０の上方外側面に設けた仮固定金具３０の詳細な構造を図４、５、６に従って説明する。仮固定金具３０は、ガイド２０の外側に突設した取付金具３１に掛止金具３２をボルト３３によって固定したものであるが、ここで掛止金具３２は特異な形状を呈する。即ち、掛止金具３２は取付金具３１にボルト３３によって固定される断面コ字状の取付部３２ａと、該取付部３２ａの一側面３２ｂおよび上面３２ｃを湾曲して延長し、一側面３２ｂには建枠の横架材Ｙに掛止可能な横架材掛止部３２ｄを形成すると共に、上面３２ｃには建枠の建地材Ｔに掛止可能な建地材掛止部３２ｅを形成している。
【００１５】
こうした構造により、横架材掛止部３２ｄが建枠の横架材Ｙに上方から引掛ける態様で掛止されるから、ガイド２０を建枠の横架材Ｙに仮固定できると共に、建地材掛止部３２ｅが建枠の建地材Ｔに裏側（足場板側）から掛止されるから、仮固定したガイド２０が前方（手摺枠側）に傾倒することを防止することができる。
【００１６】
なお、これら掛止部３２ｄ・３２ｅが取付部３２ａから湾曲して延長された一側面３２ｂおよび上面３２ｃに形成されるのは、特に建地材掛止部３２ｅを建地材Ｔに掛止した状態において、建枠の建地材Ｔと、ガイド２０にスライド自在に挿通される枠体１０の脚柱１１の中心を合わせるためである（図５を参照）。これは本発明の手摺枠１が建枠の建地材Ｔと同列位置に設置される点で重要で、当該構成により本発明の手摺枠１を建枠の側面から大きく迫り出すことなく取付けることができるのである。
【００１７】
さらに、この実施形態では、横架材掛止部３２ｄ・建地材掛止部３２ｅともに、四分の一円弧に形成している。これは仮固定金具３０が左右のガイド２０・２０に設けられるためで、両ガイド２０・２０を建枠に仮固定するために最低限必要とされる形状としたためである。ただし、横架材掛止部３２ｄ・建地材掛止部３２ｅは、最大で二分の一円弧の形状とすることができ、当該円弧長が長くなれば、その分、ぐらつきがない状態で仮固定できることはもちろんである。このように両掛止部３２ｄ・３２ｅの円弧長は、横架材Ｙや建地材Ｔの四分の一円弧から二分の一円弧までの範囲で設定することができる。
【００１８】
続いて、ガイド２０の下方外側面に設けた本固定用金具４０の詳細な構造を図７、図８に従って説明する。この本固定用金具４０も、ガイド２０から外側に突設した取付金具４１に固定金具４２をボルト４３によって固定した構造を有する。そして、固定金具４２は建枠の建地材Ｔを抱持するフック部４２ａと、フック部４２ａの中心に向かって螺合される締付ボルト部４２ｂからなる。而して、フック部４２ａを建地材Ｔに引掛けた状態で締付ボルト４２ｂを締め込むことによって、ガイド２０を建地材Ｔに固定することができる。
【００１９】
なお、本固定用金具４０はこの実施形態のものに限らず、建枠の建地材Ｔに固定できるものであれば従来公知のクランプ等を採用することができる。
【００２０】
一方、枠体１０の脚柱１１の上方外側に突設した補助固定用金具５０の詳細な構造を図９、図１０に従って説明する。この補助固定用金具５０は、枠体１０の脚柱１１から外側に突設した取付金具５１に半円弧状の把持金具５２をボルト５３によって回動自在に取付けた構造を有する。なお、把持金具５２は建枠の建地材Ｔの半円弧に設定されている。
【００２１】
さらに、ガイド２０には枠体１０のスライドを停止させるストッパー６０が設けられており、枠体１０を図１、２に示した位置でそれぞれ支持する。該ストッパー６０は、例えばバネで停止方向に付勢されたピンを有し、対して枠体１０の脚柱１１の上下に二箇所には前記ピンが挿入可能なロック孔を形成することで構成される。そして、バネの付勢力に抗してピンをロック孔から引き抜くことでロック機能が解除され、この状態で枠体１０はスライド可能となり、枠体１０を図１または２に示した位置までスライドさせたときは、ピンがバネ付勢によりロック孔に差し込まれ、自動的にロック機能が働くようにする。
【００２２】
次に、上記構造の手摺枠１を建枠に取付るときの手順を図１１に従って説明する。先ず、第１層の建枠７０・７０を建て、建枠７０・７０の間に躯体側・通路側の筋交い７１を掛ける（同図（Ａ））。
【００２３】
ここまで通法により行った後、本発明の手摺枠１を建枠７０・７０に仮固定するのであるが（同図（Ｂ））、この際、手摺枠１は、図１２に示したように、脚柱１１がガイド２０の下方から突出するように枠体１０を縮めた状態としておく。そして、図１２に示したように、手摺枠１を斜めにして持ち上げ、ガイド２０の仮固定用金具３０の内、先ず、横架材掛止部３２ｄを建枠７０の横架材Ｙに掛止する。この状態では手摺枠１の重心は仮固定用金具３０よりも下に位置するから、傾斜姿勢の手摺枠１は自重バランスによって前記横架材掛止部３２ｄと横架材Ｙの掛止部を中心として矢印方向に回転しようとし、手摺枠１を容易に垂直姿勢へと移行することができる。ここで手摺枠１の垂直姿勢は、仮固定用金具３０の建地材掛止部３２ｅが建枠７０・７０の建地材Ｔに掛止することで保持される。
【００２４】
この要領で、手摺枠１の仮固定が完了すれば、本固定用金具４０を建枠７０・７０の建地材Ｔに本固定することで、ガイド２０を建枠７０・７０に頑丈に固定することができる。
【００２５】
次に、ストッパー６０のロックを解除して、枠体１０を上方に引き出すようにスライドさせる（図１１（Ｃ））。枠体１０を十分な高さまでスライドさせると、その位置で再度ストッパー６０がロックされ、枠体１０を上に引き上げた状態で維持することができる。
【００２６】
続いて、建枠７０・７０の横架材Ｙ間に足場板７２を架設するのであるが、この足場板７２は、本実施形態では枠体１０の巾木１３によってほぼ遮蔽される。よって、この巾木１３により足場板７２から工具等が落下することが防止される。また、この種足場での作業では、足下が開放されていると不安感や恐怖感を生ずることがあることが経験的に知られているが、この実施形態によれば、前記巾木１３によって足下が遮蔽されるから、こうした不安感等も払拭することができるのである。
【００２７】
最後に、足場板７２の架設が完了すれば、作業員は足場板７２に登り、２層目の建枠７０・７０を建てるのであるが（図１１（Ｄ））、この際には既に上階に手摺枠１が先行して構築されているから、安全に作業を行うことができる。そして、上方に引き上げた枠体１０の補助固定用金具５０を倒して２層目建枠７０・７０の建地材Ｔ・Ｔに掛止させ、この一連の作業によって手摺枠１の取付が完了する。なお、補助固定用金具５０によって、枠体１０のぐらつきが防止される。
【００２８】
以降は、図１１のＡに戻り、筋交い７１の架設、手摺枠１の仮固定、ガイド２０の本固定、枠体１０の引き上げ、足場板７２の架設、上階の建枠の設置、補助固定用金具５０の掛止という順序に従い、目的の階数となるまで作業を進める。
【００２９】
【発明の効果】
以上説明したように、本発明によれば、スライド式の手摺枠とし、特に枠体を引き上げる前の手摺枠の取り付けを容易且つ安全に行うことができる。また、請求項２では、巾木により資材や工具の落下をより効果的に防止でき、且つ、巾木による足下の遮蔽効果により作業員の不安感や恐怖感を軽減することができる。さらに、請求項３では、手摺枠が建枠の立設強度を補完し、且つ、見た目にも迫り出しが小さい枠組足場の構築が可能となった。
【図面の簡単な説明】
【図１】本発明の一実施形態に係る手摺枠の全体正面図（枠体の引き上げ前）
【図２】同（枠体の引き上げ後）
【図３】ガイドの横断面図
【図４】仮固定金具の正面図
【図５】同金具の平面図
【図６】同金具における掛止金具の斜視図
【図７】本固定用金具の正面図
【図８】同金具の平面図
【図９】補助固定用金具の正面図
【図１０】同金具の平面図
【図１１】本実施形態に係る手摺枠の取付作業を示した工程図
【図１２】同取付作業の一工程を注出した側面図
【図１３】従来の一般的構造からなる手摺枠の取付態様を示した側面図
【符号の説明】
１  手摺枠
１０  枠体
２０  ガイド
３０  仮固定用金具
４０  本固定用金具
５０  補助固定用金具
【図１】
0003862209.tif 000002
【図２】
0003862209.tif 000003
【図３】
0003862209.tif 000004
【図４】
0003862209.tif 000005
【図５】
0003862209.tif 000006
【図６】
0003862209.tif 000007
【図７】
0003862209.tif 000008
【図８】
0003862209.tif 000009
【図９】
0003862209.tif 000010
【図１０】
0003862209.tif 000011
【図１１】
0003862209.tif 000012
【図１２】
0003862209.tif 000013
【図１３】
0003862209.tif 000014